(57)【要約】【課題】本発明は１枚のカードが挿入されると他のカードの挿入を防止できるとともに、小型化もでき、基板の回路設計上も制限なく、高密度化にも支障がなく、筐体設計もし易く、カードの抜去もし易いカードコネクタ１０を提供する。【解決手段】本目的は複数のメモリカード４５の接続部と接触する所要数のコンタクト１３と、複数のメモリカード４５が挿入される複数の挿入口２３を有するとともにコンタクト１３が配列・保持されるハウジング１２とを備えるカードコネクタ１０において、ハウジング１２の所定の位置に、１種のメモリカード４５が挿入された際に回動若しくは移動可能な少なくとも１個以上のロック部材２０及び１種のメモリカード４５が挿入された際に変位可能な少なくとも１個以上のバネ部材１８とを設け、ロック部材２０とバネ部材１８により１種のメモリカード４５しか挿入できないようにすることで達成できる。【選択図】  図２
2005340141.tif 000002
【特許請求の範囲】
【請求項１】
複数のメモリカードが着脱自在に挿抜されるカードコネクタであって、複数のメモリカードの接続部と接触する所要数のコンタクトと、複数のメモリカードが挿入される複数の挿入口を有するとともに前記コンタクトが配列・保持されるハウジングとを備えるカードコネクタにおいて、
前記ハウジングの所定の位置に、１種のメモリカードが挿入された際に回動若しくは移動可能な少なくとも１個以上のロック部材及び１種のメモリカードが挿入された際に変位可能な少なくとも１個以上のバネ部材とを設け、前記ロック部材と前記バネ部材により１種のメモリカードしか挿入できないようにしたことを特徴とするカードコネクタ。
【請求項２】
複数のメモリカードが着脱自在に挿抜されるカードコネクタであって、複数のメモリカードの接続部と接触する所要数のコンタクトと、複数のメモリカードが挿入される複数の挿入口を有するとともに前記コンタクトが配列・保持されるハウジングとを備えるカードコネクタにおいて、
前記ハウジングには略並行に配置された２つの挿入口及び該挿入口の上方に１つの挿入口とを設け、２つの前記挿入口の中間部分にどちらか一方の挿入口にメモリカードが挿入された際に回動若しくは移動可能なロック部材を設け、上方の１つの前記挿入口の下方側に該挿入口にメモリカードが挿入された際に変位可能なバネ部材を設け、前記ロック部材と前記バネ部材により１種のメモリカードしか挿入できないようにしたことを特徴とするカードコネクタ。
【請求項３】
１種のメモリカードが前記ハウジングの挿入口に挿入された際に、前記ロック部材が回動若しくは移動し、挿入された挿入口と並行に配置された挿入口内に前記ロック部材が突出し、前記ロック部材により前記バネ部材が変位しないようにし、１種のメモリカードしか挿入できないようにしたことを特徴とする請求項１又は２記載のカードコネクタ。
【請求項４】
１種のメモリカードが前記ハウジングの挿入口に挿入された際に、前記バネ部材が変位し、変位した前記バネ部材の一部が他の挿入口内に突出し、１種のメモリカードしか挿入できないようにしたことを特徴とする請求項１又は２記載のカードコネクタ。
【請求項５】
前記挿入口のうち必要に応じて、他の挿入口と共通部分を有したことを特徴とする請求項１〜４項のうちいずれか１項記載のカードコネクタ。
【発明の詳細な説明】
【技術分野】
【０００１】
この発明は、プリンター、カードリーダーなどの各種電子・電気機器に使用される、複数種のメモリカードを挿入してメモリカードと信号入出力可能なカードコネクタに関するもので、特に１枚のメモリーカードしか同時に挿入できない構造に関するものである。
【背景技術】
【０００２】
近年、デジタルカメラ等の普及に伴って記憶容量が大きく且つコンパクトな形状からなるメモリカードが用いられるようになった。メモリカードも、メモリカードを利用する機器の特性等によって、例えばＳＤ（Secure Digital memory card、登録商標）カード（以下単にＳＤカードという。）、メモリースティック（登録商標）カード（以下単にＭＳカードという。）、スマートメディア（登録商標）カード（以下単にＳＭカードという。）、コンパクトフラッシュ（登録商標）カード（以下単にＣＦカードという。）、ｘＤカード（登録商標）（以下単にｘＤカードという。）、マルチメディア（登録商標）カード（以下単にＭＭカード）等種々のものが用いられるようになった。これに伴い、これら種々のメモリカードへ書込み／読込みを行う装置として、メモリカードリーダライタが、コンピュータ本体内に、或は、外部機器として用いられている。
【０００３】
そして、メモリカードリーダライタは、当然のことながら、種々のメモリカードに対応しているのが好ましいので、従来のメモリカードリーダライタにおいては、リーダライタ本体にカードコネクタを配置し、種々のメモリカードを挿入可能とし、挿入されたメモリカードを読み書き可能にしていた。
【０００４】
上述したようにメモリカードには、ＳＤカード、ＭＳカード、ＳＭカード、ＣＦカード、ｘＤカード、ＭＭカード等種々が存在する。そして、メモリカードリーダライタは、これらメモリカードの全て或はこれらの幾つかに対応可能であった。具体的には、カードコネクタには、対応するメモリカードを挿入可能な挿入口が設けられている。ここでは、ＳＤカードとｘＤカードとＭＳカードの３種に対応したものを例に説明する。
【０００５】
カードコネクタ６０には、各メモリカードが挿入された状態で、各挿入されたメモリカードの端子部と接続可能に、図６及び図７に示すように、ハウジング６２内に複数コンタクト６３が配列・保持されている。そして、メモリカードを挿入することで、メモリカードと読み書き可能に形成される。図７のように、カードコネクタ６０の挿入可能な挿入口２３としては、同図中で上の段の挿入口２７にはＳＤカード４９が挿入され、下の段の左側の挿入口２６にはＭＳカード４８が挿入され、上の段の右側の挿入口２５にはｘＤカード４７が挿入される構造に、各挿入口が設けられている。
【０００６】
このような構造のカードコネクタは、所望するメモリカード、例えばＣＦカードをＣＦ用挿入口に挿入してＣＦカードと情報の読み書きを行っている。
複数のメモリカードが挿入されるカードコネクタにおいては、各々のメモリカードをコントロールするＩＣを共有にしているが、同時に２枚以上のメモリカードが挿入されるとＩＣ上でエラーが発生することがあった。このエラーを回避する方法としては２つ考えられ、一つが各々のメモリカードをコントロールするＩＣを各カード専用にすることと、もう一つが同時に２枚以上のメモリカードが挿入できないようなコネクタ構造することの２つである。一つ目の案は、機器の小型化が進んでいる現在の過密な基板レイアウトや基板占有面積等を考慮すると、実現化が非常に難しく、かつ、コストアップに繋がってしまう。
そこで、２つ目の案として、複数のカード挿入口を有するカードコネクタであっても、１枚が挿入されると、他のカードの挿入を防止できる構造のカードコネクタとしては、特開２００３−２９７４８９が開示されている。
【特許文献１】特開２００３−２９７４８９の要約によると、挿入可能な複数種のメモリカードのうち、１枚が挿入されることで、他のメモリカードの挿入を阻止できるメモリカード用コネクタの提供を目的として、複数のメモリカードを挿入可能なメモリカード用コネクタであって、挿入されるメモリカードに対応した形状に開口する挿入口を複数設けると共に挿入口内部には空間部を形成し、空間部には挿入されるメモリカードの電極と電気的に接続するコンタクトを設けるコネクタ本体と、挿入口外側に設けられ、挿入されるメモリカードに対応した形状に挿入口と対を成して開口すると共に挿入口相互の相対位置とはずらして開口するカード挿入口を設け、挿入口開口面に沿って移動可能なスライドカバーとから構成する、メモリカード用コネクタが開示されている。従って、空間部及びカード挿入口の一対の中心が一致したときには、他の空間部とこれに対向するカード挿入口との対の中心は一致しない構造のメモリカード用コネクタである。  ちなみに、特許請求の範囲には、複数のメモリカードが挿入可能なメモリカード用コネクタであって、筐体からなり、挿入されるメモリカードに対応した形状に開口する挿入口を複数設けると共に挿入口内部には空間部を形成し、空間部には挿入されるメモリカードの電極と電気的に接続するコンタクトを設け、挿入されるメモリカードと電気的に接続されるコネクタ本体と、コネクタ本体の挿入口外側に設けられ、挿入されるメモリカードに対応した形状にコネクタ本体の挿入口と対を成して開口するカード挿入口を設け、コネクタ本体の挿入口開口面に沿って移動可能なスライドカバーとからなり、一対のコネクタ本体の空間部とスライドカバーのカード挿入口との中心が一致したときに、他の対の空間部及び対向するカード挿入口の中心が一致しないことを特徴とするメモリカード用コネクタと記載されている。
【発明の開示】
【発明が解決しようとする課題】
【０００７】
特許文献１の構造のカードコネクタでは、ハウジングの表面に別部品であるスライドカバーを取り付け、該スライドカバーを横方向にスライドさせ、前記ハウジングの１種のカード挿入口と前記スライドカバーの１種のカード挿入口との中心だけを一致させ、他の対のカード挿入口同士の中心は一致しない構造にすることで、２枚以上のメモリカードが挿入できない様にしている。
近年、より一層の機器の小型化の要求が強くなってきている中、コネクタの小型化の要求も強くなってきている現状で、特許文献１の構造ではスライドカバーを嵌合口の前面に配置しているので、コネクタの小型化にも逆行することになり、かつ、基板の回路設計上も制限（コネクタの基板への接続部を嵌合側に配置できない）することになり、複数のメモリカードを装着する場合の高密度化にも支障がでるといった問題点が発生した。
また、構造上、前記スライドカバーが前記ハウジング表面をスライドさせる必要があるため、筐体側から前記ハウジングを突出させる必要があるので、筐体設計が難しくなり、かつ、遮蔽効果が落ちることになるといった問題点もあった。
さらにまた、特許文献１のような構造では、ハウジング表面に別部品であるスライドカバーを取り付けため、コネクタからカードを抜去する際に、カードを持つ部分が減り、カードを抜去し難いといった問題点もあった。
【０００８】
本発明は、このような従来の問題点に鑑みてなされたもので、１枚のカードが挿入されると他のカードの挿入を防止できるとともに、小型化もでき、基板の回路設計上も制限なく、高密度化にも支障がなく、筐体設計もし易く、カードの抜去もし易いカードコネクタを提供せんとするものである。
【課題を解決するための手段】
【０００９】
本目的は、複数のメモリカードが着脱自在に挿抜されるカードコネクタ１０であって、複数のメモリカード４５の接続部と接触する所要数のコンタクト１３と、複数のメモリカード４５が挿入される複数の挿入口２３を有するとともに前記コンタクト１３が配列・保持されるハウジング１２とを備えるカードコネクタ１０において、前記ハウジング１２の所定の位置に、１種のメモリカード４５が挿入された際に回動若しくは移動可能な少なくとも１個以上のロック部材２０及び１種のメモリカード４５が挿入された際に変位可能な少なくとも１個以上のバネ部材１８とを設け、前記ロック部材２０と前記バネ部材１８により１種のメモリカード４５しか挿入できないようにすることにより達成できる。
【００１０】
３つの挿入口２３を有する場合には、上記目的は、複数のメモリカード４５が着脱自在に挿抜されるカードコネクタ１０であって、複数のメモリカード４５の接続部と接触する所要数のコンタクト１３と、複数のメモリカード４５が挿入される複数の挿入口２３を有するとともに前記コンタクト１３が配列・保持されるハウジング１２とを備えるカードコネクタ１０において、前記ハウジング１２には略並行に配置された２つの挿入口２３及び該挿入口２３の上方に１つの挿入口２３とを設け、２つの前記挿入口２３の中間部分にどちらか一方の挿入口２３にメモリカード４５が挿入された際に回動若しくは移動可能なロック部材２０を設け、上方の１つの前記挿入口２３の下方側に該挿入口２３にメモリカード４５が挿入された際に変位可能なバネ部材１８を設け、前記ロック部材２０と前記バネ部材１８により１種のメモリカード４５しか挿入できないようにすることにより達成できる。
【００１１】
１種のメモリカード４５が前記ハウジング１２の挿入口２３に挿入された際に、前記ロック部材２０が回動若しくは移動し、挿入された挿入口２３と並行に配置された挿入口２３内に前記ロック部材２０が突出し、前記ロック部材２０により前記バネ部材１８が変位しないようにし、１種のメモリカード４５しか挿入できないようにする。
また、１種のメモリカード４５が前記ハウジング１２の挿入口２３に挿入された際に、前記バネ部材１８が変位し、変位した前記バネ部材１８の一部が他の挿入口２３内に突出し、１種のメモリカード４５しか挿入できないようにする。
さらにまた、前記挿入口２３のうち必要に応じて、他の挿入口２３と共通部分を有するようにする。
【発明の効果】
【００１２】
以上の説明から明らかなように、本発明のカードコネクタ１０によると、次のような優れた顕著な効果が得られる。
（１）前記ハウジング１２の所定の位置に、１種のメモリカード４５が挿入された際に回動若しくは移動可能な少なくとも１個以上のロック部材２０及び１種のメモリカード４５が挿入された際に変位可能な少なくとも１個以上のバネ部材１８とを設け、前記ロック部材２０と前記バネ部材１８により１種のメモリカード４５しか挿入できないようにしているので、当然ながら１枚しかメモリカード４５を挿入できないためメモリカード４５をコントロールするＩＣにエラーが発生することなく、基板の回路設計上も制限なく設計できると同時に高密度化にも支障がなく、かつ、筐体設計もし易く、カードの抜去もし易いカードコネクタ１０を提供できる。
（２）前記ハウジング１２には略並行に配置された２つの挿入口２３及び該挿入口２３の上方に１つの挿入口２３とを設け、２つの前記挿入口２３の中間部分にどちらか一方の挿入口２３にメモリカード４５が挿入された際に回動若しくは移動可能なロック部材２０を設け、上方の１つの前記挿入口２３の下方側に該挿入口２３にメモリカード４５が挿入された際に変位可能なバネ部材１８を設け、前記ロック部材２０と前記バネ部材１８により１種のメモリカード４５しか挿入できないようにしているので、当然ながら１枚しかメモリカード４５を挿入できないためメモリカード４５をコントロールするＩＣにエラーが発生することなく、基板の回路設計上も制限なく設計できると同時に高密度化にも支障がなく、かつ、筐体設計もし易く、カードの抜去もし易いカードコネクタ１０を提供できる。
（３）１種のメモリカード４５が前記ハウジング１２の挿入口２３に挿入された際に、前記ロック部材２０が回動若しくは移動し、挿入された挿入口２３と並行に配置された挿入口２３内に前記ロック部材２０が突出し、前記ロック部材２０により前記バネ部材１８が変位しないようにし、１種のメモリカード４５しか挿入できないようにしているので、簡単な構造で当然ながら１枚しかメモリカード４５を挿入できないためメモリカード４５をコントロールするＩＣにエラーが発生することなく、基板の回路設計や筐体設計をすることができる。
（４）１種のメモリカード４５が前記ハウジング１２の挿入口２３に挿入された際に、前記バネ部材２０が変位し、変位した前記バネ部材２０の一部が他の挿入口２３内に突出し、１種のメモリカード４５しか挿入できないようにしているので、簡単な構造で当然ながら１枚しかメモリカード４５を挿入できないためメモリカード４５をコントロールするＩＣにエラーが発生することなく、基板の回路設計や筐体設計をすることができる。
（５）前記挿入口２３のうち必要に応じて、他の挿入口２３と共通部分を有するようにしているので、２枚の挿入口２３を共通化することで、コネクタを大きくすることなく、多くの種類のメモリカード４５に対応することができる。
【発明を実施するための最良の形態】
【００１３】
図１から図５に基づいて、本発明のカードコネクタの一実施例について説明する。図１（Ａ）は嵌合側上方よりみた本発明のカードコネクタの斜視図であり、（Ｂ）は嵌合側下方よりみた本発明のカードコネクタの斜視図である。図２はバネ部材とロック部材を本発明のカードコネクタに装着する説明図である。図３は本発明のカードコネクタに複数のメモリカードを挿入する場合を説明する正面図である。図４は上段にメモリカードを挿入した場合を説明する正面図である。図５（Ａ）は下段の一方側にメモリカードを挿入した場合を説明する正面図であり、（Ｂ）は（Ａ）を下方よりみた平面図である。
一実施例の本発明のカードコネクタ１０は、主にハウジング１２と多種のコンタクト１３とロック部材２０とバネ部材１８とを備えている。
【００１４】
まず、本発明のポイントであるロック部材２０について説明する。このロック部材２０は電気絶縁性のプラスチックであり、公知技術の射出成形によって製作され、この材質としては寸法安定性や加工性やコスト等を考慮して適宜選択するが、一般的にはポリブチレンテレフタレート（ＰＢＴ）やポリアミド（６６ＰＡ、４６ＰＡ）や液晶ポリマー（ＬＣＰ）やポリカーボネート（ＰＣ）やこれらの合成材料を挙げることができる。
前記ロック部材２０は略三角柱をしており、１つの頂角３４付近に固定ピン２２が挿入される孔３２が設けられている。前記ロック部材２０は前記固定ピン２２により前記ハウジング１２に固定された際に、前記孔３２（前記固定ピン２２）を中心として回動可能になっている。つまり、前記孔３２と前記固定ピン２２の関係ではクリアランスがあり、回動可能なように設計している。前記ロック部材２０の役割としては、図５のように、前記ハウジング１２に並行に配置されたメモリカード４５の挿入口２３のいずれか一方にメモリカード４５が挿入された場合に、前記孔３２が設けられた以外の他の１つの頂角３４にメモリカード４５が当たることで前記ロック部材２０が回動し、他のもう１つの頂角３４がメモリカード４５が挿入された以外の挿入口２３内に突出することで、メモリカード４５が挿入された挿入口２３以外にはカード４５が入らないようにしている。前記ロック部材２０の大きさとしては、このような役割とカードコネクタ１０の大きさや並行に配置された挿入口２３の間隔等を考慮して適宜設計している。また、前記ロック部材２０は、図２のように矢印「ロ」方向から挿入され、固定されている。
【００１５】
上述では、前記ロック部材２０を略三角柱にし、回動可能なように前記ハウジング１２に装着したものにした。しかし、上記のような役割を満足するものであればよい。たとえば、略四角柱にし、前記孔３２をその中心（前記ロック部材２０のほぼ中心）に設け、該孔３２の形状を楕円にし、回動ではなく移動可能にしたものでもよい。つまり、並行に配置された一方の挿入口２３にメモリカード４５が挿入された場合に、メモリカード４５で前記ロック部材２０を横方向に押すことで、前記ロック部材２０が移動し、前記ロック部材２０の一部がもう一方の挿入口２３内に突出するようにする。
【００１６】
次に、本発明のもう１つのポイントであるバネ部材１８について説明する。このバネ部材１８は金属製であり、公知技術のプレス加工によって製作されている。前記バネ部材１８の材質としては、バネ性や成型性などが要求されるので、黄銅やベリリウム銅やリン青銅等を挙げることができる。前記バネ部材１８は略Ｌ字形状をしており、前記バネ部材１８は前記ハウジング１２に固定される固定部と弾性部２８と幅方向両側に２つの突出部３０とを備えている。前記バネ部材１８は、図１のように下段に並行に設けられた挿入口２３の間で前記弾性部２８が上段の挿入口２３に突出するように、図２の矢印「イ」方向の挿入され、配置（固定）されている。前記バネ部材１８は、圧入や引っ掛けによって、前記ハウジング１２に固定されている。
前記バネ部材１８の役割としては、上段の挿入口２３にメモリカード４５が挿入された際に、メモリカード４５が前記バネ部材１８の弾性部２８を押圧すると前記バネ部材１８が下方へ変位し、２つの前記突出部３０が並行に配置された下段の挿入口２３内に突出することで、上段の挿入口２３にメモリカード４５が挿入された状態では下段の挿入口２３にメモリカード４５が入らないようにしたものである。
【００１７】
また、前記バネ部材１８の更なる役割としては、並行に配置された下段のどちらか一方の挿入口２３にメモリカード４５が挿入された場合に、挿入されたメモリカード４５に前記バネ部材１８の突出部３０が引っ掛かって、前記バネ部材１８の弾性部２８が変位しないことで、上段の挿入口２３にメモリカード４５が入らないようにしたものである。
前記バネ部材１８の弾性部２８の変位量としては、このような役割を考慮して適宜設計する。変位量としては、本実施例では１．０５ｍｍにしている。また、前記突出部３０の形状や大きさについても、上記役割を考慮して適宜設計している。前記突出部３０の大きさは、本実施例では０．８ｍｍにしている。
本実施例では、上述のように、１つのバネ部材１８により上段にメモリカード４５が挿入された場合に並行に配置された下段の挿入口２３にメモリカード４５が入らないようにしたが、並行に配置された各々の挿入口２３部分に、バネ部材１８を配置し、上述のような役割を持たせたものでもよい。その場合には前記突出部３０は幅方向ではなく、変位方向に設けたものでよい。
【００１８】
次に、ハウジング１２について説明する。このハウジング１２は電気絶縁性のプラスチックであり、公知技術の射出成形によって製作され、この材質としては寸法安定性や加工性やコスト等を考慮して適宜選択するが、一般的にはポリブチレンテレフタレート（ＰＢＴ）やポリアミド（６６ＰＡ、４６ＰＡ）や液晶ポリマー（ＬＣＰ）やポリカーボネート（ＰＣ）やこれらの合成材料を挙げることができる。
【００１９】
前記ハウジング１２には複数種のメモリカード４５を挿入するための所要数の挿入口２３が設けられている。該挿入口２３は、それぞれのメモリカード４５に沿った形状及び大きさにしている。図３に基づいて、本実施例の挿入口２３に挿入されるメモリカード４５の種類について説明する。上段の挿入口２４はＣＦカード４６を挿入するためのものであり、下段の右側の挿入口２５はｘＤカード４７を挿入するためのものである。下段の左側の挿入口２６、２７は挿入する一部を共有した２つの挿入口２６、２７が並存しており、それぞれの挿入口２６、２７にはＭＳカード４８とＳＤカード又はＭＭカード４９が挿入されるようになっている。
また、前記ハウジング１２には複数種のコンタクト１３が装着される挿入溝３６が設けられており、圧入や引っ掛け（ランス）や溶着等によって固定されている。
【００２０】
前記ハウジング１２には前記バネ部材１８が固定される挿入穴３８が設けられており、該挿入穴３８の位置は上述したバネ部材１８の役割やハウジング１２の強度やコネクタ１０の小型化等を考慮して適宜設計する。本実施例では、図２のごとく、また、上述のように並行に配置された下段の挿入口２３間に設けた。前記挿入穴３８の大きさはバネ部材１８の保持力を考慮して設計する。
また、前記ハウジング１２には前記ロック部材２０が装着される装着孔４０が設けられており、該装着孔４０の位置は上述したロック部材２０の役割やハウジング１２の強度やコネクタ１０の小型化等を考慮して適宜設計する。本実施例では図２のごとく、また、上述のようにコネクタ１０の下側で、並行に配置された下段の挿入口２３の間に設けた。前記装着孔４０の大きさは前記ロック部材２０が回動若しくは移動可能なように、前記ロック部材２０の形状やハウジング１２の強度を考慮して設計する。また、前記装着孔４０内には、前記ロック部材２０を前記ハウジング１２に装着するための固定ピン２２が入る固定孔が設けられている。
【００２１】
次に、複数種のコンタクト１３について説明する。この複数種のコンタクト１３は金属製であり、公知技術のプレス加工によって製作されている。前記コンタクト１３の材質としては、バネ性や導電性などが要求されるので、黄銅やベリリウム銅やリン青銅等を挙げることができる。
【００２２】
複数種のコンタクト１３は、主に、メモリカード４５の接続部に接触する接触部４２と前記ハウジング１２に固定される固定部と基板に接続される接続部４４とを備えている。前記ハウジング１２の挿入口２３から考えると、本実施例の複数種のコンタクト１３としては、ＣＦカード用コンタクト１４、ｘＤカード用コンタクト１５、ＭＳカード用コンタクト１６、ＳＤカード又はＭＭカード用コンタクト１７が所定の位置に固定されている。それぞれのコンタクト１４、１５、１６、１７の接続部４４は、基板の回路設計や占有面積やコネクタ１０の大きさ及び設計を考慮して適宜設計している。本実施例では、ＣＦカード用コンタクト１４の接続部４４は挿入口２３と反対側に配置され、ｘＤカード用コンタクト１５の接続部４４は挿入口２３側に配置されている。ＭＳカード用コンタクト１６の接続部４４は挿入口２３と反対側に配置され、ＳＤカード又はＭＭカード用コンタクト１７の接続部４４は挿入口２３側に配置されている。
【００２３】
最後に、前記ロック部材２０と前記バネ部材１８の作用について、図４と図５に基づいて説明する。
まず、上段側のメモリカード４５が挿入された場合について説明すると、図４のごとく、上段の挿入口２３にメモリカード４５が挿入されると、該メモリカード４５によって前記バネ部材１８の弾性部２８が変位し、下方に押し下げられることになり、すると、前記バネ部材１８の突出部３０が並行に配置された下段の挿入口２３内に突出することで、下段の挿入口２３にメモリカード４５が挿入できないようにしている。
次に、下段側のどちらか一方にメモリカード４５が挿入された場合について説明すると、図５のごとく、下段の左側の挿入口２３にメモリカード４５が挿入されると、該メモリカード４５によって図５（Ａ）のように前記ロック部材２０が回動し、前記ロック部材２０の一部が下段の右側の挿入口２３内に突出することで、下段右側の挿入口２３にメモリカード４５が挿入できないようにすると同時に、挿入されたメモリカード４５によって、前記バネ部材１８が変位しない（つまり、前記バネ部材１８の突出部３０が下がらないために前記弾性部２８が変位しない）ために上段の挿入口２３にもメモリカード４５が挿入できないようにしている。
【００２４】
本実施例においては、前記ハウジング１２に３つの挿入口２３を設けたカードコネクタ１０について説明したが、挿入口２３が何個であってもよい。上述したバネ部材１８とロック部材２０の構造を有するものを複数組み合わせることで、１枚のメモリカード４５しか挿入できないように適宜設計することが可能である。
【産業上の利用可能性】
【００２５】
本発明の活用例としては、、プリンター、カードリーダーなどの各種電子・電気機器に使用されるカードコネクタ１０に活用され、特に１枚のメモリカード４５しか同時に挿入できない構造に関するものである。
【図面の簡単な説明】
【００２６】
【図１】（Ａ）  嵌合側上方よりみた本発明のカードコネクタの斜視図である。（Ｂ）  嵌合側下方よりみた本発明のカードコネクタの斜視図である。
【図２】バネ部材とロック部材を本発明のカードコネクタに装着する説明図である。
【図３】本発明のカードコネクタに複数のメモリカードを挿入する場合を説明する正面図である。
【図４】上段にメモリカードを挿入した場合を説明する正面図である。
【図５】（Ａ）  下段の一方側にメモリカードを挿入した場合を説明する正面図である。（Ｂ）  （Ａ）を下方よりみた平面図である。
【図６】嵌合側上方よりみた従来のカードコネクタの斜視図である。
【図７】従来のカードコネクタに複数のメモリカードを挿入する場合を説明する正面図である。
【符号の説明】
【００２７】
１０、６０    コネクタ
１２、６２    ハウジング
１３、６３    コンタクト
１４          ＣＦカード用コンタクト
１５          ｘＤカード用コンタクト
１６          ＭＳカード用コンタクト
１７          ＳＤカード又はＭＭカード用コンタクト
１８          バネ部材
２０          ロック部材
２２          固定ピン
２３          挿入口
２４          ＣＦカード用挿入口
２５          ｘＤカード用挿入口
２６          ＭＳカード用挿入口
２７          ＳＤカード又はＭＭカード用挿入口
２８          弾性部
２９          固定部
３０          突出部
３２          孔
３４          頂角
３６          挿入溝
３８          挿入穴
４０          装着孔
４２          接触部
４４          接続部
４５          メモリカード
４６          ＣＦカード
４７          ｘＤカード
４８          ＭＳカード
４９          ＳＤカード又はＭＭカード
【図１】
2005340141.tif 000003
【図２】
2005340141.tif 000004
【図３】
2005340141.tif 000005
【図４】
2005340141.tif 000006
【図５】
2005340141.tif 000007
【図６】
2005340141.tif 000008
【図７】
2005340141.tif 000009